(57)【要約】【課題】前枠の開閉を早く検知することで、遊技場の不正被害を少なくし得る遊技機の開閉検知装置を提供する。【解決手段】外枠１１と、外枠１１に開閉自在に取付けられた前枠１２と、外枠１１に設けられた鉤受部材２０と、前枠１２に移動可能に設けられて前枠１２を閉じた際に鉤受部材２０に掛け止められる鉤部材１５とを備える遊技機１０の開閉検知装置１であって、開閉検知装置１は、鉤部材１５が鉤受部材２０に対して移動したことを検知する検知スイッチ７を備えている。【選択図】図５
2009022563.tif 000002
【特許請求の範囲】
【請求項１】
基体と、前記基体に開閉自在に取付けられた開閉体と、これら基体と開閉体のいずれか一方の部材に設けられた鉤受部材と、いずれか他方の部材に移動可能に設けられて前記開閉体を閉じた際に前記鉤受部材に掛け止められる鉤部材とを備える遊技機の前記基体に対する前記開閉体の開閉を検知するための遊技機の開閉検知装置であって、
前記鉤部材が前記鉤受部材に対して移動したことを検知する検知スイッチを備えていることを特徴とする遊技機の開閉検知装置。
【請求項２】
請求項１に記載の遊技機の開閉検知装置であって、
検知スイッチを鉤受部材に脱着可能に取付ける脱着部を有していることを特徴とする遊技機の開閉検知装置。
【請求項３】
請求項２に記載の遊技機の開閉検知装置であって、
検知スイッチは、鉤部材の爪が掛け止められる鉤受部材の掛止面側に設けられかつ該爪に押されて移動する検知片と、前記検知片を前記爪側に向けて付勢する付勢部材と、前記掛止面側に設けられ前記検知片に連動してＯＮ・ＯＦＦされる電気スイッチ部を有していることを特徴とする遊技機の開閉検知装置。
【発明の詳細な説明】
【技術分野】
【０００１】
本発明は、外枠に開閉自在に取付けられた前枠が開閉、または前枠に開閉自在に取付けられたガラス扉が開閉されることを検知するための遊技機の開閉検知装置に関する。
【背景技術】
【０００２】
遊技機の一つであるパチンコ機は、遊技島に固定される外枠と、外枠に開閉自在に取付けられる前枠を有している。従来、外枠と前枠の間には、店員の目を盗んで前枠が不正に開閉されたことを検知する検知装置が設けられる場合があった（特許文献１）。この種の検知装置は、例えば、前枠の裏面に設けられ、前枠が外枠に対して前方に開くことで作動するため、前枠が開いた後に前枠の開閉を検知するものであった。しかし前枠の開閉をもっと早く検知することで、遊技場の不正被害をもっと抑制したいという要望等がある。
【特許文献１】特開２０００−１２６４２３号公報
【発明の開示】
【発明が解決しようとする課題】
【０００３】
そこで本発明は、開閉体（前枠またはガラス扉）の開閉を早く検知することで、遊技場の不正被害を少なくし得る遊技機の開閉検知装置を提供することを課題とする。
【課題を解決するための手段】
【０００４】
前記課題を達成するために本発明は、各請求項に記載の通りの構成を備える遊技機の開閉検知装置であることを特徴とする。請求項１に記載の発明によると、基体と、基体に開閉自在に取付けられた開閉体と、これら基体と開閉体のいずれか一方の部材に設けられた鉤受部材と、いずれか他方の部材に移動可能に設けられかつ鉤受部材に掛け止められる鉤部材とを備える遊技機の開閉検知装置であって、鉤部材が鉤受部材に対して移動したことを検知する検知スイッチを備えている。
【０００５】
そのため開閉検知装置は、開閉体を開放するために最初に行われる動作、すなわち鉤部材を鉤受部材に対して掛止解除させる動作を検知する。そしてその状態にて開閉体が基体に対して開放される。そのため開閉検知装置は、開閉体を開放する前に開閉体の開閉を予見することができる。したがって開閉体の開閉を早く検知することで、遊技場の不正被害を小さくすること等が可能になる。
【０００６】
請求項２に記載の発明によると、検知スイッチを鉤受部材に脱着可能に取付ける脱着部を有している。したがって検知スイッチを鉤受部材に対して容易に取付けることができる。また遊技機は、法律によって後加工が制限されているために穴あけ等をすることが制限されているが、本発明によると、遊技機を後加工することなく容易に検知スイッチを鉤受部材に取付けることができる。そのため本発明の開閉検知装置は、汎用性が高い構成になっている。
【０００７】
請求項３に記載の発明によると、検知スイッチは、鉤部材の爪が掛け止められる鉤受部材の掛止面側に設けられかつ該爪に押されて移動する検知片と、検知片を爪側に向けて付勢する付勢部材と、掛止面側に設けられ検知片に連動してＯＮ・ＯＦＦされる電気スイッチ部を有している。したがって鉤部材が掛止解除方向に移動すると、検知片が付勢部材の付勢力によって移動して、電気スイッチ部がＯＮまたはＯＦＦになる。これにより鉤部材の移動が検知される。また検知片と電気スイッチ部は、比較的設置スペースの広い鉤受部材の掛止面側に設けられている。そのため遊技機を後加工することなく確実に開閉検知装置を遊技機に設けることができる。
【発明を実施するための最良の形態】
【０００８】
本発明の実施形態を図１〜７にしたがって説明する。開閉検知装置１は、図１に示すようにパチンコ機等の遊技機１０に用いられる。遊技機１０は、外枠（基体）１１と前枠（開閉体）１２とガラス扉１３を有している。外枠１１は、矩形枠状に形成されており、遊技場の遊技島に固定される。前枠１２は、一端部１２ａの上下に取付けられたヒンジを介して外枠１１に対して開閉自在に取付けられる。前枠１２の他端部１２ｂと外枠１１の間には、前枠１２を外枠１１に対して施錠・解錠する施錠装置１４が設けられている。
【０００９】
前枠１２は、図１に示すように板状であって、裏面に図示省略の遊技盤や機構盤等が取付けられる。前枠１２の中央には、図１に示すように開口窓１２ｃが形成されており、前側には、ガラス扉１３が取付けられる。ガラス扉１３は、一端部が前枠１２に開閉自在に取付けられており、閉じた位置において遊技盤の表面を覆う。ガラス扉１３の他端部には、施錠装置１４によって前枠１２に施錠・解錠するロック装置が設けられている。
【００１０】
施錠装置１４は、図１に示すようにベース部材１６と、ベース部材１６の上下部に傾動可能に設けられる一対の鉤部材１５と、一対の鉤受部材２０を有している。ベース部材１６は、前枠１２の裏面の他端部１２ｂに沿って取付けられる。ベース部材１６の一側面には、作動杆１７とガラス扉用鉤部材１９が上下動可能に取付けられる。作動杆１７は、一対の鉤部材１５に連結されており、上下に移動することで鉤部材１５を上下に傾動させる。ガラス扉用鉤部材１９は、上方に移動することでガラス扉１３のロック装置をロック解除する。ベース部材１６の中央には、シリンダ錠１８が設けられている。
【００１１】
シリンダ錠１８は、図１に示すように前枠１２を貫通しており、表側に鍵穴を有している。鍵を鍵穴に挿入して右方向に回すことで、シリンダ錠１８の錠軸と錠軸の後端部に取付けられたカムが回転して、カムが図示省略のばねに抗して作動杆１７を持ち上げる。これにより鉤部材１５の先端部を下方に傾動させる。鍵を左に回した場合は、カムがガラス扉用鉤部材１９を押し下げて、ガラス扉１３のロック機構をロック解除する。
【００１２】
一対の鉤受部材２０は、図１に示すように外枠１１の右枠部材１１ａの枠内面上部と下部に取付けられる。鉤受部材２０は、右枠部材１１ａから外枠１１の中央開口部に張出しており、前枠１２を閉じた際に鉤部材１５が掛け止められる。下側の鉤受部材２０には、開閉検知装置１が脱着可能に取付けられる。
【００１３】
開閉検知装置１は、前枠１２が外枠１１に対して開閉されることを検知（予知）する装置であって、図２，３に示すようにケース３と検知スイッチ７を有している。ケース３は、ベース部３ａとカバー部３ｂを有しており、これらの間に検知スイッチ７が取付けられる。検知スイッチ７は、電気スイッチ部２と検知片４を有している。
【００１４】
検知片４は、図３に示すように上下方向に伸びる本体部４ｂと、本体部４ｂの下端から水平方向に伸びる力受部４ａを有している。本体部４ｂの両端縁には、凸部４ｃが形成されており、凸部４ｃは、ケース３に形成された案内溝３ｃに上下動可能に取付けられる。本体部４ｂの上端部には、折返し部４ｄが形成されており、折返し部４ｄの先端４ｅに付勢部材（例えばばね）６の一端部が掛け止められる。付勢部材６の他端部は、ケース３に形成された掛止部３ｄに掛け止められる。
【００１５】
力受部４ａは、図６，７に示すように鉤受部材２０の裏側に配設される。そして鉤受部材２０に鉤部材１５を掛け止めることで、力受部４ａが鉤部材１５の爪１５ａによって押上げられる。そのため検知片４が図３に示す付勢部材６に抗して押上げられる。
【００１６】
電気スイッチ部２は、図３に示すようにマイクロスイッチであって、ハウジング２ｂ内に設けられた接点部材２ａと、ハウジング２ｂに傾動可能に設けられた傾動ピン２ｃを有している。傾動ピン２ｃは、ハウジング２ｂ内に設けられたばねによって付勢されており、検知片４が上方に移動した際に、折返し部４ｄによって上方に押され、ばねに抗して傾動する。接点部材２ａは、傾動ピン２ｃが傾動することで、ＯＦＦの状態（切断状態）からＯＮの状態（導通状態）に切換わる。
【００１７】
開閉検知装置１の前端面には、図３，４に示すように金属製の脱着部５が取付けられる。脱着部５は、ねじ８によってケース３に取付けられ、ねじ９によって鉤受部材２０に脱着可能に取付けられる。これにより開閉検知装置１は、鉤受部材２０の裏面（掛止面２０ａ）側に配設される。
【００１８】
図５に示すように前枠１２を開いた位置（開いた状態）から閉じた位置（閉じた状態）に回動させると、鉤部材１５が鉤受部材２０に近づく。図６に示すように鉤部材１５の爪１５ａが鉤受部材２０に当たると、爪１５ａが下方に傾動する。傾動した状態のまま爪１５ａが図７に示すように鉤受部材２０を超えると、作動杆１７を下方に付勢するばねによって鉤部材１５が傾動し、爪１５ａが鉤受部材２０の掛止面２０ａに掛止する。これにより前枠１２が外枠１１に対して施錠される。爪１５ａが掛止面２０ａに掛止されると、爪１５ａによって検知片４が持ち上げられ、電気スイッチ部２がＯＦＦ状態になる。
【００１９】
前枠１２を外枠１１に対して開放させる場合は、先ず、施錠装置１４を解錠状態にする（図１参照）。例えば不正に解錠状態にする場合は、針金等によって鉤部材１５を直接傾動させたり、あるいは作動杆１７を持ち上げて鉤部材１５を傾動させたりする。これにより爪１５ａが下方に移動する。その結果、検知片４が図３に示す付勢部材６の付勢力を利用して下方に移動し、電気スイッチ部２がＯＮ状態になる。
【００２０】
電気スイッチ部２は、ＯＮ状態になると検知信号を発する。そして検知信号は、電気スイッチ部２と電気的に接続された遊技場のホールコンピュータに伝わる。そしてホールコンピュータ等が検知信号に基づいて前枠１２が開閉され得ることを表示する。または電気スイッチ部２と電気的に接続された遊技機１０の制御装置に伝わる。そして制御装置が検知信号に基づいて遊技機１０に設けられたランプ等の発光装置を発光させる。これにより遊技場の管理者は、前枠１２の開閉を知ることができる。
【００２１】
以上のようにして開閉検知装置１が形成されている。すなわち開閉検知装置１は、図５に示すように鉤部材１５が鉤受部材２０に対して移動したことを検知する検知スイッチ７を備えている。そのため開閉検知装置１は、前枠（開閉体）１２を開放するために最初に行われる動作、すなわち鉤部材１５を鉤受部材２０に対して掛止解除させる動作を検知する。そしてその状態にて前枠１２が外枠（基体）１１に対して開放される。そのため開閉検知装置１は、前枠１２を開放する前に前枠１２の開閉を予見することができる。したがって前枠１２の開閉を早く検知することで、遊技場の不正被害を小さくすること等が可能になる。
【００２２】
また開閉検知装置１は、図４に示すように検知スイッチ７を鉤受部材２０に脱着可能に取付ける脱着部５を有している。したがって検知スイッチ７を鉤受部材２０に対して容易に取付けることができる。また遊技機は、法律によって後加工が制限されているために穴あけ等をすることが制限されているが、本形態によると、遊技機１０を後加工することなく容易に検知スイッチ７を鉤受部材２０に取付けることができる。そのため本形態の開閉検知装置１は、汎用性が高い構成になっている。
【００２３】
また検知スイッチ７は、図７に示すように検知片４と付勢部材６と電気スイッチ部２を有している。したがって鉤部材１５が掛止解除方向に移動すると、検知片４が付勢部材６の付勢力によって移動して、電気スイッチ部２がＯＮになる。これにより鉤部材１５の移動が検知される。また検知片４と電気スイッチ部２は、比較的設置スペースの広い鉤受部材２０の掛止面２０ａ側に設けられている。そのため遊技機１０を後加工することなく確実に開閉検知装置１を遊技機１０に設けることができる。
【００２４】
また従前の検知装置は、外枠に対して前枠を開放させることで出没するピンを備えていた（特許文献１参照）。そのため出没ピンの前に板等を設置し、出没ピンを押し込み続けた状態にて前枠が不正に開放されるという問題があった。これに対して本形態の開閉検知装置１は、鉤部材１５の移動を検知する構成であるために、このような不正ができない構造になっている。
【００２５】
（他の実施の形態）
本発明は、上記実施の形態に限定されず、以下の形態等であっても良い。
（１）例えば上記実施の形態の開閉検知装置１は、鉤受部材２０に取付けられていたが、開閉検知装置が外枠１１に直接取付けられる形態、または前枠１２側に取付けられる形態等であっても良い。
（２）上記実施の形態では、鉤部材１５が前枠１２側に設けられ、鉤受部材２０が外枠１１側に設けられていた。しかし鉤部材が外枠側に設けられ、鉤受部材が前枠側に設けられる形態であっても良い。
（３）上記実施の形態の鉤部材１５は、前枠１２に対して傾動して鉤受部材２０に掛止、掛止解除される形態であった。しかし前枠に対して上下に平行に移動して鉤受部材に掛止、掛止解除される形態であっても良い。
（４）上記実施の形態の開閉検知装置１は、前枠１２の外枠１１に対する開閉を検知する装置であったが、ガラス扉１３の前枠１２に対する開閉を検知する装置であっても良い。例えば、前枠（基体）と、前枠に開閉自在に取付けられたガラス扉（開閉体）と、これら前枠とガラス扉のいずれか一方の部材に設けられた鉤受部材と、いずれか他方の部材に設けられてガラス扉を閉じた際に鉤受部材に掛け止められる鉤部材とを備える遊技機において、鉤部材が鉤受部材に対して移動したことを検知する検知スイッチを備えている開閉検知装置であっても良い。
（５）上記実施の形態の遊技機１０は、パチンコ機であったが、スロット機等の他の遊技機であっても良い。
（６）上記実施の形態の電気スイッチ部２は、検知片４で持ち上げられた状態でＯＦＦ（切断状態）、付勢部材６で下がった状態でＯＮ（導通状態）になる形態であった。しかし検知片４で持ち上げられた状態でＯＮ（導通状態）、付勢部材６で下がった状態でＯＦＦ（切断状態）に切換わる形態であっても良い。
（７）上記実施の形態の電気スイッチ部２は、マイクロスイッチであったが、光スイッチであっても良い。
【図面の簡単な説明】
【００２６】
【図１】遊技機の一部斜視図である。
【図２】開閉検知装置の斜視図である。
【図３】開閉検知装置の分解斜視図である。
【図４】開閉検知装置を鉤受部材に取付けた状態における開閉検知装置と鉤受部材の斜視図である。
【図５】開閉検知装置と鉤部材と鉤受部材の斜視図である。
【図６】鉤部材を鉤受部材に掛止する様子を示す開閉検知装置と鉤部材と鉤受部材の斜視図である。
【図７】鉤部材を鉤受部材に掛止させた状態の開閉検知装置と鉤部材と鉤受部材の斜視図である。
【符号の説明】
【００２７】
１・・・開閉検知装置
２・・・電気スイッチ部
３・・・ケース
４・・・検知片
５・・・脱着部
６・・・付勢部材
７・・・検知スイッチ
１０・・・遊技機
１１・・・外枠（基体）
１２・・・前枠（開閉体、基体）
１３・・・ガラス扉（開閉体）
１４・・・施錠装置
１５・・・鉤部材
１５ａ・・・爪
２０・・・鉤受部材
２０ａ・・・掛止面
【図１】
2009022563.tif 000003
【図２】
2009022563.tif 000004
【図３】
2009022563.tif 000005
【図４】
2009022563.tif 000006
【図５】
2009022563.tif 000007
【図６】
2009022563.tif 000008
【図７】
2009022563.tif 000009